(57)【要約】  【課題】電球形ランプのガラスグローブが本体部から抜けることを防止する。  【解決手段】スリーブ７の突起８ａおよび８ｂの対向間隙に形成された溝に接着剤１０が塗布される。次に、溝内にガラスグローブ６の開口側端部が挿入されることによって、ガラスグローブ６とスリーブ７の開口端部とが接着される。接着後に、接着剤１０が未硬化の状態で、スリーブ７の外周側突起８ｂをネジ９ａが貫通される。ガラスグローブ６の開口端部が内側に向って隆起することによって、くびれ部１２が形成されている。くびれ部１２に対してネジ９ａの先端が当たり、ガラスグローブ６が抜けることがネジ９ａによって防止される。接着とネジ止めの両方でガラスグローブ６をスリーブ７に固定するので、抜け止めが確実になされる。【選択図】図２
2010045004.tif 000002
【特許請求の範囲】
【請求項１】
駆動回路および発光部が収納され、口金を有する本体部と、
上記本体部に対して取り付けられたガラスグローブと、
上記本体部と上記ガラスグローブとを連結するスリーブとを備え、
上記スリーブの外周に沿って形成された溝に上記ガラスグローブの開口端部が挿入され、上記スリーブと上記ガラスグローブの開口端部とが接着され、
上記ガラスグローブの開口端部が内側に向って隆起することによって、くびれ部が形成され、
複数の箇所で、上記くびれ部に対して上記スリーブを貫通してネジが当たる
構成とされた照明装置。
【請求項２】
上記発光部が発光ダイオードであり、
上記本体部が周面に放熱フィンを有する筒状部と、上記筒状部の一端に取り付けられた板状の放熱器と、上記筒状部の他端に上記口金を取り付けるための絶縁体のカバーとをさらに有し、
上記放熱器に対して上記発光ダイオードが取り付けられた請求項１記載の照明装置。
【請求項３】
上記スリーブと上記ガラスグローブの開口端部とを接着する接着剤が未硬化の状態において、上記ネジが貫通された請求項１に記載の照明装置。
【発明の詳細な説明】
【技術分野】
【０００１】
この発明は、例えば発光ダイオードを使用した電球形照明装置に関する。
【背景技術】
【０００２】
最近では、蛍光ランプを内蔵し、電球ソケットに対してそのまま使用できる電球形蛍光ランプが実用化されている。例えば下記の特許文献１に、電球形蛍光ランプが記載されている。
【０００３】
【特許文献１】特開２０００―０２１３５１号公報
【０００４】
さらに、発光素子として発光ダイオード（以下、ＬＥＤ(Light Emitting Diode)と称する）を使用した電球形ＬＥＤランプが商品化されている。ＬＥＤランプの特徴の一つは、長寿命な点である。例えば定格寿命が２００００時間のＬＥＤランプが開発されている。
【発明の開示】
【発明が解決しようとする課題】
【０００５】
電球形照明装置例えばＬＥＤランプは、一般の白熱電球と同様の形状を有し、透明あるいは光拡散性を有する乳白色のガラスグローブを備えている。ガラスグローブは、特許文献１に記載されているように、その縁部がカバーと接着されることによって取り付けられている。しかしながら、接着剤の剪断強さのみにガラスグローブの引っ張り強度が依存しているので、長期間の使用中にガラスグローブが本体から抜けるおそれがあった。
【０００６】
なお、グローブは、ガラス以外に合成樹脂の成型品を使用することが可能である。合成樹脂成型品を使用する場合には、ガラスに比して形状の自由度が高く、例えばネジ溝を周面に形成し、カバーにグローブをねじ込む構成が可能である。しかしながら、ガラスは、形状の自由度が合成樹脂に比して少ないために、従来では、接着による取り付けがなされていた。
【０００７】
したがって、この発明の目的は、電球形照明装置においてガラスグローブが本体部から抜けるおそれが低減された照明装置を提供することにある。
【課題を解決するための手段】
【０００８】
上述した課題を解決するために、この発明は、駆動回路および発光部が収納され、口金を有する本体部と、
本体部に対して取り付けられたガラスグローブと、
本体部とガラスグローブとを連結するスリーブとを備え、
スリーブの外周に沿って形成された溝にガラスグローブの開口端部が挿入され、スリーブとガラスグローブの開口端部とが接着され、
ガラスグローブの開口端部が内側に向って隆起することによって、くびれ部が形成され、
複数の箇所で、くびれ部に対してスリーブを貫通してネジが当たる
構成とされた照明装置である。
【０００９】
好ましくは、発光部が発光ダイオードであり、
本体部が周面に放熱フィンを有する筒状部と、筒状部の一端に取り付けられた板状の放熱器と、筒状部の他端に口金を取り付けるための絶縁体のカバーとをさらに有し、
放熱器に対して発光ダイオードが取り付けられる。
【００１０】
好ましくは、スリーブとガラスグローブの開口端部とを接着する接着剤が未硬化の状態において、ネジが貫通される。
【発明の効果】
【００１１】
この発明においては、スリーブとガラスグローブの開口端部とを接着する接着と、ガラスグローブの開口端部に形成されたくびれ部に対してスリーブを貫通してネジが当たる機械的固定とが併用される。したがって、ガラスグローブを本体に確実に取り付けることができ、ガラスグローブの本体からの抜けのおそれを少なくできる。
【発明を実施するための最良の形態】
【００１２】
以下、この発明の実施の形態について図面を参照しながら説明する。なお、以下に説明する実施の形態は、この発明の好適な具体例であり、技術的に好ましい種々の限定が付されているが、この発明の範囲は、以下の説明において、特にこの発明を限定する旨の記載がない限り、実施の形態に限定されないものとする。
【００１３】
図１に示すように、この発明の一実施の形態は、ＬＥＤを発光部として有するＬＥＤランプに対してこの発明を適用した例である。複数のＬＥＤモジュール１が支持基板２を介して板状の放熱器３に取り付けられている。支持基板２および放熱器３は、熱伝導率が高い金属例えばアルミナ、アルミニウム、銅等からなる。
【００１４】
ＬＥＤモジュール１は、１または複数のＬＥＤが基板上に取り付けられ、必要に応じて反射膜により前面に光が向う構成とされたり、透明樹脂層で被覆されたりした構成とされている。ＬＥＤとしては、単色発光、または複数の異なる発光色のＬＥＤを組み合わせて所望の色の発光を行う構成としたものが使用できる。さらに、高輝度ＬＥＤを使用することが好ましい。
【００１５】
放熱器３に対して、円筒部４の一端の端面がネジ止めされる。円筒部４の周面には多数の放熱フィン５が設けられている。ＬＥＤモジュール１で発生した熱は、支持基板２、放熱器３、円筒部４および放熱フィン５を伝達して外部へ放熱される。円筒部４の内部には、ＬＥＤの駆動回路が収納されている。円筒部４の他端部において、絶縁体例えば合成樹脂からなるカバー１３を介在させて口金１４が取り付けられている。口金１４は、標準的な電球ソケットにそのまま取り付けることが可能なものである。
【００１６】
上述したように、ＬＥＤモジュール１およびその支持基板２と、駆動回路が収納され、放熱フィン５を有する円筒部４と、カバー１３と、カバー１３に取り付けられた口金１４とによって本体部が構成される。本体部に対してガラスグローブ６が合成樹脂からなるスリーブ７によって連結される。スリーブ７は、本体部とガラスグローブ６との間に位置するリング状部材である。ガラスグローブ６は、一般の白熱電球と同様の形状を有し、透明あるいは光拡散性を有する乳白色のガラスから作成されたものである。
【００１７】
図２に拡大して示すように、スリーブ７は、上側の端面上に突起８ａと突起８ｂとが同心円状に形成され、突起８ａおよび８ｂの対向間隙に溝が形成される。さらに、スリーブ７には、内側に向って突出する凸部１１が一体に形成されている。この凸部１１の下面に放熱フィン５の端面が接し、凸部１１の上面に放熱器３の下面が接する。すなわち、凸部１１が放熱器３と放熱フィン５の端面とによって挟まれる構成とされている。
【００１８】
突起８ａおよび８ｂの間の溝内に例えばシリコーン系の接着剤１０が塗布され、次に、溝内にガラスグローブ６の開口側端部が挿入されることによって、ガラスグローブ６とスリーブ７の開口端部とが接着される。接着後に、接着剤１０が未硬化の状態で、スリーブ７の外周側突起８ｂをネジ９ａが貫通される。外周側突起８ｂには、予めネジ穴が設けられており、ネジ９ａがネジ穴に挿入される。
【００１９】
ガラスグローブ６の開口端部が内側に向って隆起することによって、くびれ部１２が形成されている。くびれ部１２の最小口径位置付近に対してネジ９ａの先端が当たり、ガラスグローブ６が抜けることがネジ９ａによって防止される。図１に示すように、ネジ９ａと反対側の位置においても、ネジ９ｂによって同様に抜け止めがなされている。ネジ止めは、２箇所に限らず、３箇所以上で行うようにしても良い。
【００２０】
上述したように、この発明では、ガラスグローブ６とスリーブ７とが接着およびネジ止めの両方によって固定されるので、接着のみによる固定に比してガラスグローブ６が抜けるおそれを低くできる。さらに、上述したこの発明の一実施の形態のように、接着剤１０が未硬化の状態でネジ止めを行うので、接着剤１０が硬化した後にネジ９ａ、９ｂがゆるむことを防止することができる。
【００２１】
この発明は、上述の実施の形態に限定されるものではなく、この発明の技術的思想に基づく各種の変形が可能である。例えばＬＥＤに限らず、蛍光ランプを発光部として使用しても良い。
【図面の簡単な説明】
【００２２】
【図１】この発明の一実施の形態による照明装置の一部断面図である。
【図２】図１の一部拡大断面図である。
【符号の説明】
【００２３】
１・・・ＬＥＤモジュール
２・・・支持基板
３・・・放熱器
４・・・円筒部
５・・・放熱フィン
６・・・ガラスグローブ
７・・・スリーブ
９ａ，９ｂ・・・ネジ
１０・・・接着剤
１２・・・くびれ部
１３・・・カバー
１４・・・口金
【図１】
2010045004.tif 000003
【図２】
2010045004.tif 000004